(57)【要約】【課題】発光モジュールを容易に着脱又は交換することができる着脱が容易なＬＥＤランプを提供する。【解決手段】  着脱が容易なＬＥＤランプ１００は、ランプホルダ１０及び発光モジュール２０を備える。ランプホルダ１０は、拡幅部１３１を有する複数の組立孔１３と、第１のコネクタ１２とを有し、拡幅部１３１の側部には、幅が拡幅部１３１の幅より狭く長形をなす狭幅部１３２が外に向かって設けられる。発光モジュール２０は、ランプホルダ１０に取り付けられ、ランプカバー２１、少なくとも１つの弾性部材、基板２３及び複数の組立部材を有する。ランプカバー２１には、ランプホルダ１０の組立孔１３に対応する複数の第１の接続部が設けられる。弾性部材は、ランプカバー２１の第１の接続が設けられた側部に配置される。基板２３は、弾性部材に当接され、複数のＬＥＤ及び穿孔を有する。【選択図】図１
0003175197.tif 000002
【実用新案登録請求の範囲】
【請求項１】
ランプホルダ及び発光モジュールを備えた着脱が容易なＬＥＤランプであって、
前記ランプホルダは、拡幅部を有する複数の組立孔と、第１のコネクタとを有し、前記拡幅部の側部には、幅が前記拡幅部の幅より狭く長形をなす狭幅部が設けられ、
前記発光モジュールは、前記ランプホルダに取り付けられ、ランプカバー、少なくとも１つの弾性部材、基板及び複数の組立部材を有し、
前記ランプカバーには、前記ランプホルダの前記組立孔に対応する複数の第１の接続部が設けられ、
前記弾性部材は、前記ランプカバーの前記第１の接続部が設けられた側部に配置され、
前記基板は、前記弾性部材に当接され、第２のコネクタと電気的に接続される複数のＬＥＤと、前記第１の接続部に対応する穿孔とを有し、前記第２のコネクタは、前記ランプホルダの前記第１のコネクタに接続され、
前記組立部材は、前記穿孔に貫設され、一方の端部に、前記第１の接続部に接続されて固定される第２の接続部を有し、他方の端部に、前記穿孔から突出する頭部を有し、
前記頭部が、対応する前記組立孔の前記拡幅部に貫設され、前記組立孔の前記狭幅部まで移動されて係止されることにより、前記発光モジュールは前記ランプホルダに固定され、
前記基板が、前記弾性部材の付勢力を受け、前記ランプホルダに当接されることを特徴とする着脱が容易なＬＥＤランプ。
【請求項２】
前記第１の接続部はネジ孔であり、前記第２の接続部は、前記組立部材の端部に凸設された雄ネジであることを特徴とする請求項１に記載の着脱が容易なＬＥＤランプ。
【請求項３】
前記発光モジュールは、前記第１の接続部に対応する貫通孔が設けられた前記弾性部材を有し、前記組立部材の前記第２の接続部は、前記貫通孔に貫設されて前記第１の接続部に接続されてなることを特徴とする請求項１に記載の着脱が容易なＬＥＤランプ。
【請求項４】
前記ランプカバーの前記第１の接続部の周辺には、少なくとも１つの位置決め突出部が設けられ、前記弾性部材には、前記位置決め突出部が挿入されて位置決めされる位置決め孔が設けられてなることを特徴とする請求項３に記載の着脱が容易なＬＥＤランプ。
【請求項５】
前記弾性部材は板バネであり、両端部が前記ランプカバーに向かって一体に折曲され、弾性当接部が設けられてなることを特徴とする請求項１に記載の着脱が容易なＬＥＤランプ。
【請求項６】
前記基板の前記ランプカバーに対向する側面の反対側の側面には、放熱部材が配置されてなることを特徴とする請求項１に記載の着脱が容易なＬＥＤランプ。
【請求項７】
前記ＬＥＤは、前記基板に渦巻き状に配置されてなることを特徴とする請求項１に記載の着脱が容易なＬＥＤランプ。
【考案の詳細な説明】
【技術分野】
【０００１】
本考案は、ＬＥＤランプに関するものであり、さらに詳しくは、発光モジュールの着脱容易なＬＥＤランプに関するものである。
【背景技術】
【０００２】
ＬＥＤは、使用寿命が長く、消費電力が少ないため、ＬＥＤを発光源とした様々なＬＥＤランプが開発され、従来のタングステンランプ、電球形蛍光灯などと代替することが期待されている。しかし、従来のＬＥＤは、タングステンランプ、電球形蛍光灯などと違い、直流電流で駆動させる必要があるため、電源変換器、駆動回路モジュールなどの部材を別に配置して交流電流を直流電流に変換し、ＬＥＤを駆動させて発光させることが必要であった。
【０００３】
従来のＬＥＤランプは、電源変換器、駆動回路モジュール、ＬＥＤなどの部材をランプホルダに直接取り付けることができるため、製造が容易であるが、部材が損壊した場合、ランプ全体を交換する必要があり、その結果、廃棄物の量が増え、自然環境を汚染するという問題があった。また、従来のＬＥＤランプの電源転換器、駆動回路モジュールなどは高価な部材であるため、ランプの販売価格が高くなり、タングステンランプ、電球形蛍光灯などに比べて、普及させることが困難である。特に、従来のＬＥＤランプで損壊し易いのはＬＥＤ部分だけであり、電源転換器、駆動回路モジュールなどの高価な部材は損壊しにくいため、ユーザがＬＥＤを容易に着脱し、又は交換することができるＬＥＤランプの開発が求められていた。
【０００４】
本考案者は、先に実用新案登録第３１７１４３号公報により簡便な操作で部品等の交換が容易な磁気ユニットを用いたＬＥＤランプを提案したが、本考案は、磁気ユニットを用いることなく、さらに改良した着脱容易なＬＥＤランプを提供するものである。
【特許文献１】実用新案登録第３１７１４３２号公報
【考案の概要】
【考案が解決しようとする課題】
【０００５】
従って、本考案の課題は、発光モジュールを容易に着脱又は交換することができる着脱容易なＬＥＤランプを提供することにある。
【課題を解決するための手段】
【０００６】
そこで、本考案者は、本考案の前記の課題を解決するため、鋭意検討を重ねた結果、ＬＥＤを配置した基板と、該基板をカバーするランプカバーとこれらを組立てる組立部材を組み合わせて構成された発光モジュールの組立て部材の接続部とランプホルダの底部に形成された組立孔とが接続可能なように後記の如く構成することにより着脱が容易になることに着目し、かかる知見に基いて本考案に想倒するに至った。
【０００７】
上記課題を解決するために、本考案によれば、ランプホルダ及び発光モジュールを備え、発光モジュールの着脱が容易なＬＥＤランプであって、
前記ランプホルダは、拡幅部を有する複数の組立孔と、第１のコネクタとを有し、前記拡幅部の側部には、幅が前記拡幅部の幅より狭く長形をなす狭幅部が外に向かって設けられ、前記発光モジュールは、前記ランプホルダに取り付けられ、ランプカバー、少なくとも１つの弾性部材、基板及び複数の組立部材を有し、前記ランプカバーには、前記ランプホルダの前記組立孔に対応する複数の第１の接続部が設けられ、前記弾性部材は、前記ランプカバーの前記第１の接続部が設けられた側部に配置され、前記基板は、前記弾性部材に当接され、第２のコネクタと電気的に接続される複数のＬＥＤと、前記第１の接続部に対応する穿孔とを有し、前記第２のコネクタは、前記ランプホルダの前記第１のコネクタに接続され、前記組立部材は、前記穿孔に貫設され、一方の端部に、前記第１の接続部に接続されて固定される第２の接続部を有し、他方の端部に、前記穿孔から突出する頭部を有し、前記頭部が対応する前記組立孔の前記拡幅部に貫設され、前記組立孔の前記狭幅部まで移動されて係止されることにより、前記発光モジュールは前記ランプホルダに固定され、前記基板は、前記弾性部材の付勢力を受け、前記ランプホルダに当接されることを特徴とする着脱が容易なＬＥＤランプが提供される。
【０００８】
前記第１の接続部はネジ孔であり、前記第２の接続部は前記組立部材の端部に凸設された雄ネジであることが好ましい。
【０００９】
前記発光モジュールは、前記第１の接続部に対応する貫通孔が設けられた前記弾性部材を有し、前記組立部材の前記第２の接続部は、前記貫通孔に貫設されて前記第１の接続部に接続されることが好ましい。
【００１０】
前記ランプカバーの前記第１の接続部の周辺には、少なくとも１つの位置決め突出部が設けられ、前記弾性部材には、前記位置決め突出部が挿入されて位置決めされる位置決め孔が設けられることが好ましい。
【００１１】
前記弾性部材は板バネであり、両端部が前記ランプカバーに向かって一体に折曲され、弾性当接部が設けられることが好ましい。
【００１２】
前記基板の前記ランプカバーに対向する側面の反対側の側面には、放熱部材が配置されることが好ましい。
【００１３】
前記ＬＥＤは、前記基板に渦巻き状に配置されることが好ましい。
【考案の効果】
【００１４】
本考案のＬＥＤランプは、前記の如き構成からなり、構成要素中、発光モジュールのみをランプホルダから容易に着脱し、又は交換することができる。発光モジュールのみを取り外すことができるので、電源交換器、駆動回路、モジュール等の高価な部品を交換することなく継続して使用することができる。
【図面の簡単な説明】
【００１５】
【図１】本考案の一実施形態による着脱が容易なＬＥＤランプを示す分解斜視図である。
【図２】本考案の一実施形態による着脱が容易なＬＥＤランプの発光モジュールを示す分解斜視図である。
【図３】本考案の一実施形態による着脱が容易なＬＥＤランプの発光モジュールを示す断面図である。
【図４】本考案の一実施形態による着脱が容易なＬＥＤランプの組立孔に頭部を貫設して固定するときの状態を示す平面図である。
【図５】本考案の一実施形態による着脱が容易なＬＥＤランプを示す断面図である。
【考案を実施するための最良の形態】
【００１６】
以下、本考案の実施形態について図面に基づいて説明する。なお、これによって本考案が限定されるものではない。
【００１７】
図１〜図３を参照する。図１〜図３に示すように、本考案の一実施形態による着脱が容易なＬＥＤランプ１００は、シーリングライト、ダウンライト、電球、蛍光灯などに応用され、本実施形態では、シーリングライトに応用されているが、これだけに限定されるわけではない。着脱が容易なＬＥＤランプ１００は、少なくともランプホルダ１０及び発光モジュール２０から構成される。
【００１８】
ランプホルダ１０は、底部１１１を有し、側部に収納槽１１が凹設されている。底部１１１は、中心部に、電力を出力する第１のコネクタ１２を有し、第１のコネクタ１２を取り囲むように複数の組立孔１３を有する。各組立孔１３には、拡幅部１３１が設けられている。拡幅部１３１の側部には、長形の狭幅部１３２が外に向かって設けられている。狭幅部１３２の幅は、拡幅部１３１の幅より狭い。本実施形態の組立孔１３の狭幅部１３２は、第１のコネクタ１２を中心として、時計回りの方向に設けられている。ランプホルダ１０の収納槽１１の周辺には、複数の係止孔１４が設けられている。ランプホルダ１０は金属材料からなる。
【００１９】
図２及び図３を参照する。図２及び図３に示すように、本考案の一実施形態による発光モジュール２０は、ランプホルダ１０に取り付けられ、ランプカバー２１、少なくとも１つの弾性部材２２、基板２３及び複数の組立部材２４を有する。
【００２０】
ランプカバー２１には、ランプホルダ１０の組立孔１３に対応するように複数の第１の接続部２１１が設けられている。本実施形態の第１の接続部２１１はネジ孔である。各第１の接続部２１１の周辺には、少なくとも１つの位置決め突出部２１２が設けられている。
【００２１】
本実施形態の発光モジュール２０の弾性部材２２は、ランプカバー２１の第１の接続部２１１が設けられた側部に、第１の接続部２１１に対応するように配置されている。弾性部材２２は板バネであり、第１の接続部２１１に対応する貫通孔２２１と、位置決め突出部２１２に対応する位置決め孔２２２とが設けられている。位置決め突出部２１２は、位置決め孔２２２に挿入されて位置決めされる。これにより、弾性部材２２は、ランプカバー２１に位置決めされる。弾性部材２２の両端は、ランプカバー２１に向かって一体に折曲され、弾性当接部２２３が形成されている。
【００２２】
基板２３は、弾性部材２２に当接され、渦巻き状に配置された複数のＬＥＤ２３１を有する。ＬＥＤ２３１は、第２のコネクタ２３２と電気的に接続されている。第２のコネクタ２３２は、ランプホルダ１０の第１のコネクタ１２に接続されている。基板２３には、第１の接続部２１１に対応するように穿孔２３３が設けられ、ランプカバー２１に対向する側面の反対側の側面に放熱部材２３４が配置されている。
【００２３】
組立部材２４は、穿孔２３３に貫設され、一方の端部に、第２の接続部２４１を有し、他方の端部に、穿孔２３３から突出する頭部２４２を有する。本実施形態の第２の接続部２４１は、組立部材２４の端部に凸設された雄ネジであり、対応する第１の接続部２１１に接続されて固定される。
【００２４】
着脱が容易なＬＥＤランプ１００は、透明カバー３０を有する。透明カバー３０の周縁には、ランプホルダ１０の係止孔１４に対応するように係止ブロック３１が設けられている。係止ブロック３１が係止孔１４により係止されることにより、透明カバー３０はランプホルダ１０に固定され、収納槽１１外に位置する。
【００２５】
図４及び図５を参照する。図４及び図５に示すように、発光モジュール２０をランプホルダ１０に取り付ける際、ランプホルダ１０の組立孔１３に発光モジュール２０の組立部材２４を対応させ、組立孔１３の拡幅部１３１に組立部材２４の頭部２４２を貫設させる。図４に示すように、発光モジュール２０を回転させて組立部材２４の頭部２４２を組立孔１３の狭幅部１３２まで移動させると、頭部２４２が狭幅部１３２により係止され、発光モジュール２０がランプホルダ１０に固定される。第２のコネクタ２３２は、第１のコネクタ１２に接続され、第１のコネクタ１２から電力を受け、ＬＥＤ２３１を駆動させて発光させる。発光モジュール２０を反対方向に回転させ、組立部材２４の頭部２４２を狭幅部１３２から拡幅部１３１に移動させると、ランプホルダ１０から発光モジュール２０を取り外すことができる。このように、本実施形態は、ランプホルダ１０から発光モジュール２０を容易に取り外すことができるため、ユーザは、電源変換器、駆動回路モジュールなど壊れにくく高価な部材をランプホルダ１０に配置し、第１のコネクタ１２と電気的に接続することができる。基板２３のＬＥＤ２３１が壊れたときは、発光モジュール２０のみを交換すればよく、着脱が容易なＬＥＤランプ１００全体を取り替える必要がないため、経済的であり、環境を汚染させる虞がない。
【００２６】
また、ランプカバー２１と基板２３との間に弾性部材２２が配置されているため、発光モジュール２０がランプホルダ１０に取り付けられる際、基板２３が弾性部材２２の弾性当接部２２３の付勢力を受けてランプホルダ１０に当接され、放熱部材２３４を介してランプホルダ１０と密着される。これにより、ＬＥＤ２３１から発生した廃熱が効率的にランプホルダ１０に伝達されて放熱されるため、ＬＥＤ２３１の作動が安定し、着脱が容易なＬＥＤランプ１００に放熱モジュールを付加的に設ける必要がない。
【００２７】
さらに、ＬＥＤ２３１が渦巻き状に配置されることにより、回路を配線し易い。また、回路２３のＬＥＤ２３１の通電回数により、着脱が容易なＬＥＤランプ１００の輝度を制御することもできる。
【００２８】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１０  ランプホルダ
１１  収納槽
１２  第１のコネクタ
１３  組立孔
１４  係止孔
２０  発光モジュール
２１  ランプカバー
２２  弾性部材
２３  基板
２４  組立部材
３０  透明カバー
３１  係止ブロック
１００  着脱が容易なＬＥＤランプ
１１１  底部
１３１  拡幅部
１３２  狭幅部
２１１  第１の接続部
２１２  位置決め突出部
２２１  貫通孔
２２２  位置決め孔
２２３  弾性当接部
２３１  ＬＥＤ
２３２  第２のコネクタ
２３３  穿孔
２３４  放熱部材
２４１  第２の接続部
２４２  頭部
【図１】
0003175197.tif 000003
【図２】
0003175197.tif 000004
【図３】
0003175197.tif 000005
【図４】
0003175197.tif 000006
【図５】
0003175197.tif 000007